(57)【要約】      （修正有）【課題】複数の映像出力装置と複数の映像表示装置とから、所望する映像出力装置と映像表示装置を選び、出力される映像信号を映像表示装置において表示ができるように適合させる通信制御装置を提供する。【解決手段】通信制御装置１は、複数の映像出力装置に接続されるとともに、ローカルネットワーク３００を介して複数の映像表示装置に接続され、前記映像表示装置から入力された制御信号に基づいて、前記映像出力装置を制御する制御部と、前記映像出力装置から映像信号を入力する入力インタフェースと、入力された映像信号を処理する映像処理部と、映像処理部によって処理された映像信号をローカルネットワーク３００を介して前記映像表示装置に出力する出力インタフェースと、映像表示装置の表示方式に関する情報に基づいて映像処理部における処理内容を設定する機能設定部とを備える。【選択図】図１
2011010196.tif 000002
【特許請求の範囲】
【請求項１】
複数の映像出力装置に接続されるとともに、通信ネットワークを介して複数の映像表示装置に接続される通信制御装置であって、
前記映像表示装置から入力された制御信号に基づいて、前記映像出力装置を制御する制御部と、
前記映像出力装置から映像信号を入力する入力部と、
前記入力部によって入力した映像信号を処理する処理部と、
前記処理部によって処理された映像信号を、前記通信ネットワークを介して前記映像表示装置に向けて出力する出力部と、
映像信号の出力先である映像表示装置の表示方式に関する情報に基づいて、前記処理部における処理内容を設定する設定部と
を備える、通信制御装置。
【請求項２】
前記処理部は、映像信号の解像度を変換する変換部を有し、
前記設定部は、映像信号の出力先である映像表示装置に応じて、前記変換部における映像信号の解像度を設定する、請求項１に記載の通信制御装置。
【請求項３】
前記処理部は、映像信号を符号化する符号化部を有し、
前記設定部は、映像信号の出力先である映像表示装置に応じて、前記符号化部における符号化方式を設定する、請求項１又は２に記載の通信制御装置。
【請求項４】
複数の映像出力装置に接続されるとともに、通信ネットワークを介して複数の映像表示装置に接続される通信制御装置における通信制御方法であって、
（Ａ）前記映像表示装置から入力された制御信号に基づいて、前記映像出力装置を制御するステップと、
（Ｂ）前記映像出力装置から映像信号を入力するステップと、
（Ｃ）前記ステップ（Ｂ）において入力した映像信号を処理するステップと、
（Ｄ）前記ステップ（Ｃ）において処理された映像信号を、前記通信ネットワークを介して前記映像表示装置に向けて出力するステップと、
（Ｅ）映像信号の出力先である映像表示装置の表示方式に関する情報に基づいて、前記ステップ（Ｃ）における処理内容を設定するステップと
を備える、通信制御方法。
【発明の詳細な説明】
【技術分野】
【０００１】
本発明は、ネットワークを介して、異なる機器間において映像を送受信するために、映像変換を行う通信制御装置、及び通信制御方法に関する。
【背景技術】
【０００２】
近年におけるＩＴ技術の発展に伴い、動画の記録や再生を行える記録装置や、デジタル放送を受信出来る受信機などの電子機器が数多く開発されている。また、電子機器のネットワーク対応化も進んでおり、ネットワークを介してのデータ共有や、遠隔での電子機器を利用する通信技術も開発されている。
【０００３】
なお、下記特許文献１には、ＩＰネットワークを経由したデジタル放送の再送信装置に関する技術が開示されている。
【先行技術文献】
【特許文献】
【０００４】
【特許文献１】特開２００７−１６６４０９号公報
【発明の概要】
【発明が解決しようとする課題】
【０００５】
映像データを扱う電子機器は、機器ごとに扱える映像データの規格や放送コンテンツの方式が異なっていることがあり、複数の機器間で映像データや放送データの提供を受ける場合は受信側の機器が扱える映像データの規格に合わせてデータを変換させる必要があった。
【０００６】
本発明の目的は、複数の映像出力装置と複数の映像表示装置とから、所望する映像出力装置と映像表示装置を選び、出力される映像信号を所望する映像表示装置において表示できるように適合させる通信制御装置、および通信制御方法を提供することにある。
【課題を解決するための手段】
【０００７】
本発明の第１の態様に係る通信制御装置は、複数の映像出力装置に接続されるとともに、通信ネットワークを介して複数の映像表示装置に接続される通信制御装置であって、前記映像表示装置から入力された制御信号に基づいて、前記映像出力装置を制御する制御部と、前記映像出力装置から映像信号を入力する入力部と、前記入力部によって入力した映像信号を処理する処理部と、前記処理部によって処理された映像信号を、前記通信ネットワークを介して前記映像表示装置に向けて出力する出力部と、映像信号の出力先である映像表示装置の表示方式に関する情報に基づいて、前記処理部における処理内容を設定する設定部とを備えることを特徴としている。
【０００８】
第１の態様に係る通信制御装置によれば、制御部は映像表示装置からの入力に基づいて映像出力装置の制御を行い、処理部は映像出力装置から入力された映像信号を処理し、設定部は映像表示装置の表示方式に関する情報に基づいて処理部における処理内容を設定する。さらに、通信ネットワークと複数の映像出力装置との間に通信制御装置を接続することにより、映像表示装置から通信制御装置を介して映像出力装置を制御することができる。従って、所望の映像出力装置から出力される映像信号を、所望の映像表示装置が表示できる表示方式に適合させることが可能となる。
【０００９】
本発明の第２の態様に係る通信制御装置は、第１の態様に係る通信制御装置において特
に、前記処理部は、映像信号の解像度を変換する変換部を有し、前記設定部は、映像信号の出力先である映像表示装置に応じて、前記変換部における映像信号の解像度を設定することを特徴としている。
【００１０】
第２の態様に係る通信制御装置によれば、複数の映像表示装置の解像度が互いに異なる場合であっても、変換部における映像信号の解像度を設定部によって設定することにより、適切に解像度が調整された映像信号を映像表示装置に表示させることが可能となる。
【００１１】
本発明の第３の態様に係る通信制御装置は、第１又は第２の態様に係る通信制御装置において特に、前記処理部は、映像信号を符号化する符号化部を有し、前記設定部は、映像信号の出力先である映像表示装置に応じて、前記符号化部における符号化方式を設定することを特徴としている。
【００１２】
第３の態様に係る通信制御装置によれば、複数の映像表示装置の符号化方式が互いに異なる場合であっても、符号化部における符号化方式を設定部によって設定することにより、適切な符号化方式によって符号化された映像信号を映像表示装置に向けて出力することが可能となる。
【００１３】
本発明の第４の態様に係る通信制御方法は、複数の映像出力装置に接続されるとともに、通信ネットワークを介して複数の映像表示装置に接続される通信制御装置における通信制御方法であって、（Ａ）前記映像表示装置から入力された制御信号に基づいて、前記映像出力装置を制御するステップと、（Ｂ）前記映像出力装置から映像信号を入力するステップと、（Ｃ）前記ステップ（Ｂ）において入力した映像信号を処理するステップと、（Ｄ）前記ステップ（Ｃ）において処理された映像信号を、前記通信ネットワークを介して前記映像表示装置に向けて出力するステップと、（Ｅ）映像信号の出力先である映像表示装置の表示方式に関する情報に基づいて、前記ステップ（Ｃ）における処理内容を設定するステップとを備えることを特徴としている。
【００１４】
第４の態様に係る通信制御方法によれば、通信ネットワークと複数の映像出力装置との間の通信制御に当該通信制御方法を用いることで、映像表示装置から通信制御装置を介して映像出力装置を制御することができる。その結果、所望の映像出力装置から出力される映像信号を、所望の映像表示装置に表示させることが可能となる。
【発明の効果】
【００１５】
本発明によれば、所望の映像出力装置から出力される映像信号を、所望の映像表示装置が表示できる表示方式に適合させることが可能となる。
【図面の簡単な説明】
【００１６】
【図１】本発明の実施の形態に係る通信制御装置を用いた通信システムの全体構成を概略的に示すブロック図である。
【図２】本発明の実施の形態に係る通信制御装置の構成を概略的に示すブロック図である。
【図３】本発明の実施の形態に係る映像制御部の構成を示すブロック図である。
【図４】本発明の実施の形態に係る映像音声変換部の構成を示すブロック図である。
【図５】本発明の実施の形態に係る通信制御装置の動作を示すフローチャートである。
【図６】ｗｅｂアクセスにて表示されるトップ画面のメニューの一例を示す図である。
【図７】ｗｅｂアクセスにて表示される操作画面のメニューの一例を示した図である。
【発明を実施するための形態】
【００１７】
以下、本発明の実施の形態について、図面を用いて説明する。なお、異なる図面におい
て同一の符号を付した要素は、同一または相応する要素を示すものとする。
【００１８】
図１は、本発明の実施の形態に係る通信制御装置１を用いた通信システムの全体構成を概略的に示すブロック図である。図１に示すように通信システムは、通信制御装置１とローカルネットワーク３００を有し、映像提供元の機器として、ｗｅｂカメラドアホン２００とＩＰＴＶデジタルチューナ２１０とＨＤＤレコーダ２２０とを有している。さらに、通信システムは、映像提供先の機器として、ｗｅｂ対応ＴＶ３１０と一般的なコンピュータであるＰＣ３２０とｗｅｂクライアント３４０と携帯ゲーム機等であるモバイル機器３５０とを有している。また、通信制御装置１は無線信号送信部１１を有し、ＩＰＴＶデジタルチューナ２１０は無線信号受信部２１１を、ＨＤＤレコーダ２２０は無線信号受信部２２１を有している。そして、ＩＰＴＶデジタルチューナ２１０は、ＯＮＵ（Optical Network Unit）２５１を介して放送ネットワーク２５０に接続されている。ｗｅｂクライアント３４０はその表示装置であるｗｅｂ非対応ＴＶ３４５に接続されている。
【００１９】
図２は、本発明の実施の形態に係る通信制御装置１の構成を概略的に示すブロック図である。通信制御装置１は、無線信号送信部１１、入力インタフェース１２、出力インタフェース１３、映像処理部１４、制御部１７を備えており、映像処理部１４はＮ個の映像制御部１６を有している。また、入力インタフェース１２もＮ個の入力ポートを有しており、通信制御装置１はＮチャンネルの映像処理に対応している。さらに、入力インタフェース１２の入力ポートは、デジタル圧縮信号であるＴＳ（Transport Stream）信号やＴＴＳ（Timestamped Transport Stream）信号を入力できるインタフェース、非圧縮映像信号であるデジタル信号を入力できるインタフェース、アナログ信号を入力できるインタフェースをそれぞれ有している。
【００２０】
そして、入力インタフェース１２のＮ個ある入力ポートから入力された信号は、Ｎ個ある映像制御部１６にそれぞれ入力され、映像制御部１６から出力された出力信号Ｓ６０（図３参照）は、出力インタフェース１３によりローカルネットワーク３００に送出される。
【００２１】
図３は、映像制御部１６の構成を示すブロック図である。映像制御部１６は、ＤＭＵＸ（Demultiplexer）１０１、トランスコード部１０２、ＢＭＬ／ＨＴＭＬ変換部１０３、ＨＴＭＬ設定部１０４、ｗｅｂサーバ部１０５、機能設定部１０６、Ａ／Ｄ変換部１１０、Ａ／Ｄ変換部１１１、映像音声変換部１１２、送受信部１３０を有している。
【００２２】
さらに、映像制御部１６の構成の接続関係を説明する。ＤＭＵＸ１０１の出力はトランスコード部１０２とＢＭＬ／ＨＴＭＬ変換部１０３との入力に接続されている。トランスコード部１０２の出力は送受信部１３０の入力に接続されている。ＢＭＬ／ＨＴＭＬ変換部１０３の出力はｗｅｂサーバ部１０５の入力に接続されている。ｗｅｂサーバ部１０５の出力は制御部１７と送受信部１３０との入力に接続されている。機能設定部１０６の出力は、ＢＭＬ／ＨＴＭＬ変換部１０３の入力と、ＨＴＭＬ設定部１０４の入力と、映像音声変換部１１２の入力とに接続されている。ＨＴＭＬ設定部１０４の出力はｗｅｂサーバ部１０５の入力に接続されている。また、制御部１７からの出力が、ＢＭＬ／ＨＴＭＬ変換部１０３と、ＨＴＭＬ設定部１０４と、機能設定部１０６とに入力されている。
【００２３】
図４は、映像音声変換部１１２の構成を示すブロック図である。映像音声変換部１１２は、イメージプレーン部１４０、エリア選択部１４１、スケーリング部１４２、エンコード部１４３、レート変換部１４４、遅延処理部１４５を有している。
【００２４】
さらに、映像音声変換部１１２の接続関係を説明すると、イメージプレーン部１４０の出力はエリア選択部１４１の入力に接続されている。エリア選択部１４１の出力はスケー
リング部１４２に接続されている。スケーリング部１４２の出力はエンコード部１４３の入力に接続されている。レート変換部１４４の出力は遅延処理部１４５の入力に接続されている。遅延処理部１４５の出力はエンコード部１４３の入力に接続されている。また、機能設定部１０６からの入力は、エリア選択部１４１、スケーリング部１４２、エンコード部１４３、レート変換部１４５に接続されている。
【００２５】
次に、本発明の実施の形態に係る通信制御装置１の動作の説明を、ＨＤＤレコーダ２２０からの映像を、ｗｅｂクライアント３４０を介したｗｅｂ非対応ＴＶ３４５に表示する場合を例として行う。まず、通信制御装置１の入力インタフェース１２にＨＤＤレコーダ２２０が接続されたとき、通信制御装置１の制御部１７は、ＨＤＤレコーダ２２０とネゴシエーションを行い、ＨＤＤレコーダ２２０の通信方式、映像データの規格、機器のリモートコントロール機能によって制御できる機能とそのリモートコンロトール信号の種類などの情報を手に入れる。このネゴシエーションで得られた情報は、制御部１７から機能設定部１０６に送られ、設定信号Ｓ４０によって各構成のパラメータの設定が行われる。
【００２６】
次に、ｗｅｂクライアント３４０から映像転送の要求があった場合の通信制御装置１の動作について、図５のフローチャートを用いて説明を行う。まず、ｗｅｂクライアント３４０から映像転送の要求信号を受信した通信制御装置１は、ステップＳＰ１００において、トップ画面メニューの表示を行う。映像転送の要求信号を受信した制御部１７は、映像提供先であるｗｅｂクライアント３４０とネゴシエーションを行い、ｗｅｂクライアント３４０のｗｅｂ表示機能の情報とｗｅｂクライアント３４０が接続されたｗｅｂ非対応ＴＶ３４５が再生できる映像データの解像度や圧縮符号化方式などの情報（つまり、表示装置の表示方式）とを手に入れる。そして、このネゴシエーションで得た情報をＨＴＭＬ設定部１０４に送り、ＨＴＭＬ設定部１０４が持つＨＴＭＬ（HyperText Markup Language）データの中から、ｗｅｂクライアント３４０とｗｅｂ非対応ＴＶ３４５とに適合するＨＴＭＬデータを選び、ｗｅｂサーバ部１０５に送る。このＨＴＭＬデータにｗｅｂクライアント３４０がローカルネットワーク３００を介してｗｅｂアクセスすることで、ｗｅｂクライアント３４０はトップ画面メニューを表示することができる。なお、ＨＴＭＬ設定部１０４には、表示する機器の画面サイズ、解像度、又は種類等に応じて、複数のＨＴＭＬデータが事前に登録されている。
【００２７】
このトップ画面メニューを表示した映像提供先の機器は、通信制御装置１に接続された現在利用可能な映像提供元の機器を選択することができる。図６にトップ画面メニューの一例を示す。ｗｅｂクライアント３４０によってｗｅｂ表示が可能となったｗｅｂ非対応ＴＶ３４５の表示画面５００にトップ画面メニュー５１０が表示されている。トップ画面メニュー５１０では、図１で示す通信システムでの利用可能な映像提供元の機器である、ｗｅｂカメラドアホン２００と、ＩＰＴＶデジタルチューナ２１０と、ＨＤＤレコーダ２２０とが選択可能となっている。このトップ画面で映像提供元となる機器が選択された場合、ステップＳＰ１１０に進む（ここではトップ画面メニュー５１０にて、ＨＤＤレコーダ２２０が選択されたとする）。
【００２８】
ステップＳＰ１１０において、通信制御装置１は映像提供元の機器であるＨＤＤレコーダ２２０の映像信号がＴＳ信号、又はＴＴＳ信号のものかどうかを判定する。もし映像信号がＴＳ信号かＴＴＳ信号であった場合は「ＹＥＳ」と判定し、ステップＳＰ１２０に進む。映像信号が非圧縮のデジタル信号やアナログ信号だった場合は「ＮＯ」と判定し、ステップＳＰ２００に進む。
【００２９】
ステップＳＰ１１０にて「ＹＥＳ」と判定した場合、通信制御装置１はステップＳＰ１２０において、ｗｅｂクライアント３４０が接続されたｗｅｂ非対応ＴＶ３４５に操作画面を表示させる。通信制御装置１のＨＴＭＬ設定部１０４は、あらかじめ用意された操作
画面ＨＴＭＬデータのテンプレートを複数持っており（例えば、ビデオレコーダ用、携帯電話用、モバイルＰＣ用など）、事前にネゴシエーションを行って得ておいたＨＤＤレコーダ２２０の情報に基づいて、適合する操作画面のテンプレートを選び、そのＨＴＭＬデータをｗｅｂサーバ部１０５に送る。映像提供先の機器は、ローカルネットワーク３００を介して、このＨＴＭＬデータにｗｅｂアクセスすることで操作画面を表示する。図７に、映像提供先の機器に表示される操作画面の一例を示す。
【００３０】
図７で示すように、この操作画面は、再生、停止、早送り、巻き戻し等といったＨＤＤレコーダ２２０が行うことのできる提供する映像を制御するメニューを、ネゴシエーションによって得た情報によって、ｗｅｂの操作メニュー５２０としてＨＴＭＬ形式として再現したものである（この操作画面で表示される項目は、映像提供元である機器の操作メニューだけでなく、他にもチャンネルの切換メニュー５３０や、機器の切換メニュー５１０などであってもよい）。ｗｅｂクライアント３４０によってｗｅｂコンテンツが表示できるようになったｗｅｂ非対応ＴＶ３４５おいて、この操作画面メニューが表示され、操作が行われた場合、ｗｅｂクライアント３４０から操作信号が送信され、これ受け取ったｗｅｂサーバ部１０５は、操作情報Ｓ３７を制御部１７に送り、制御部１７は操作情報Ｓ３７と、事前のネゴシエーションから得た映像提供元の機器の情報とを元に、操作信号Ｓ４１を出力する。この操作画面で、映像の提供を受ける旨の操作が行われた場合、ステップＳＰ１３０に進む。
【００３１】
次に、ステップＳＰ１３０において、通信制御装置１は映像信号の受信を行う。まず、操作画面にて映像の提供を受ける旨の操作（いわゆる映像の再生命令等）が行われると、通信制御装置１の制御部１７は操作信号Ｓ４１を出力する。そして、この操作信号Ｓ４１は無線信号送信部１１へと送られる。この無線信号送信部１１は、一般的なリモートコントロール装置のリモートコントロール信号を出力することができるものであり、映像提供元の機器と事前に行われたネゴシエーションによって得られた情報から、映像提供元の機器が受信できるリモートコントロール信号を発信して、映像提供元の機器を操作できるように設定したものである。操作信号Ｓ４１を受け取った無線信号送信部１１は、リモートコントロール信号Ｓ１４をＨＤＤレコーダ２２０に向け送信する。
【００３２】
ＨＤＤレコーダ２２０は、リモートコントロール信号の受信部である無線信号受信部２２１によりリモートコントロール信号Ｓ１４を受信する。リモートコントロール信号Ｓ１４により、映像の提供命令がなされると、ＨＤＤレコーダ２２０は映像信号Ｓ１３を通信制御装置１に向け送信する。通信制御装置１の入力インタフェース１２にて受信された映像信号Ｓ１３は、映像制御部１６に入力される。映像信号Ｓ１３がＴＳ信号若しくはＴＴＳ信号である場合、映像信号Ｓ３１としてＤＭＵＸ１０１に入力される。
【００３３】
次に、ステップＳＰ１４０において、通信制御装置１のＤＭＵＸ１０１によって、ＴＳ信号若しくはＴＴＳ信号である映像信号Ｓ３１は、映像及び音声が含まれるストリーム信号Ｓ３２と、データ放送カルーセル信号Ｓ３４とに分離される。
【００３４】
次に、ステップＳＰ１５０において、通信制御装置１のＢＭＬ／ＨＴＭＬ変換部１０３は、データ放送カルーセル信号Ｓ３４からＢＭＬ（Broadcast Markup Language）データを取り出す。ＢＭＬは映像ストリームのメディア情報を記述するマークアップ言語である。ＢＭＬ／ＨＴＭＬ変換部１０３は、このＢＭＬデータを同じくマークアップ言語であるＨＴＭＬデータ形式に変換を行う。ＢＭＬデータから変換されたＨＴＭＬデータ信号Ｓ３５は、ｗｅｂサーバ部１０５に送られ、ローカルネットワーク３００を介して、映像提供先の機器からｗｅｂアクセス可能な状態となる。
【００３５】
次に、ステップＳＰ１６０において、通信制御装置１のトランスコード部１０２は、映
像及び音声を含んだストリーム信号Ｓ３２に対して、必要に応じてトランスコードを行い、ｗｅｂクライアント３４０で再生可能な映像規格のストリーム信号Ｓ３３に変換を行う。このトランスコードでは、映像画面の大きさや、画像の解像度、映像及び音声のビットレートを変換することができる。
【００３６】
次に、ステップＳＰ１７０において、通信制御装置１の送受信部１３０は、トランスコード部１０２より受け取った映像及び音声のストリーム信号Ｓ３３を、ローカルネットワーク３００を介してｗｅｂクライアント３４０へと送信する。このストリーム信号Ｓ３３は、事前のネゴシエーションによって得られたｗｅｂクライアント３４０が接続されたｗｅｂ非対応ＴＶ３４５が表示可能な解像度やビットレートに変換されているので、これを受け取ったｗｅｂクライアント３４０が接続されたｗｅｂ非対応ＴＶ３４５は、映像を表示させることができる。
【００３７】
一方、映像提供元の機器から送られてくる信号が、非圧縮映像信号であるデジタル信号やアナログ信号だった場合、ステップＳＰ１１０において「ＮＯ」と判定され、ステップＳＰ２００に進む。ステップＳＰ２００において、通信制御装置１は、ステップＳＰ１２０と同様に、ＨＴＭＬ設定部１０４が持つ操作画面のＨＴＭＬデータの中から、適合するものが選択され、操作画面を映像提供先の機器へと表示する。この操作画面で映像の提供を受ける旨の操作が行われた場合、ステップＳＰ２１０に進む。
【００３８】
次に、ステップＳＰ２１０において、通信制御装置１は、ステップＳＰ１３０と同様に映像信号の受信を行う。映像制御部１６に入力された非圧縮映像信号であるデジタル信号のうち、デジタル映像信号Ｓ５１は、映像音声変換部１１２のイメージプレーン部１４０に入力され、デジタル音声信号Ｓ５３は映像音声変換部１１２のレート変換部１４４に入力される。また、入力された非圧縮映像信号がアナログ信号であった場合、アナログ映像信号Ｓ５０はＡ／Ｄ変換部１１０に入力され、デジタル映像信号Ｓ５５に変換された後、映像音声変換部１１２のイメージプレーン部１４０に送られる。さらにアナログ音声信号Ｓ５２はＡ／Ｄ変換部１１１に入力され、デジタル音声信号Ｓ５６に変換された後、映像音声変換部１１２のレート変換部１４４に入力される。
【００３９】
次に、ステップＳＰ２２０において、通信制御装置１の映像制御部１６は、映像提供先の機器に合わせ映像信号と音声信号とに変更を行う。イメージプレーン部１４０は、入力されたデジタル映像信号Ｓ５５又はデジタル映像信号Ｓ５１から、画像保存を行う。イメージプレーン部１４０で保存された画像データは、画像データ信号Ｓ７０としてエリア選択部１４１に入力される。エリア選択部１４１では、入力された画像データ信号Ｓ７０から、映像提供先の機器が表示するエリアを選択し、表示部位だけの画像に切り出しを行う。表示部位だけとなった画像データ信号Ｓ７１は、スケーリング部１４２に入力される。スケーリング部１４２は、画像データ信号Ｓ７１の画像データを映像提供先の機器が対応している解像度に合わせ、画像の拡大縮小を行う。スケーリング部１４２で変更された画像データ信号Ｓ７２はエンコード部１４３に入力される。
【００４０】
一方、レート変換部１４４は、入力されたデジタル音声信号Ｓ５６又はデジタル音声信号Ｓ５３を、映像提供先の機器が音声再生できるサンプリングレートに変換する。レート変換部１４４にてレート変換されたデジタル音声信号Ｓ７３は、遅延処理部１４５に入力される。遅延処理部１４５は、入力されたデジタル音声信号Ｓ７３を遅延処理し、遅延したデジタル音声信号Ｓ７４を出力する。この遅延処理は、エンコード部１４３に入力される画像データ信号Ｓ７２と、デジタル音声信号Ｓ７４の入力タイミングを合わせるものである。
【００４１】
次に、ステップＳＰ２３０において、通信制御装置１のエンコード部１４３は、画像デ
ータ信号Ｓ７２とデジタル音声信号Ｓ７４を基に、映像データにエンコードを行う。このエンコードでは、ＪＰＥＧやＭＰＥＧ２、Ｈ．２６４など複数のエンコード規格から、映像提供先の機器が表示できる規格とビットレートを選択してエンコードを行う。
【００４２】
次に、ステップＳＰ２４０において、通信制御装置１の送受信部１３０は、エンコード部１４３より受け取った映像信号Ｓ５４を、ローカルネットワーク３００を介してｗｅｂクライアント３４０へと送信する。この映像信号Ｓ５４は、事前のネゴシエーションによって得られたｗｅｂクライアント３４０が接続された、ｗｅｂ非対応ＴＶ３４５が再生可能な解像度やビットレートにてエンコードされているため、これを受け取ったｗｅｂクライアント３４０が接続されたｗｅｂ非対応ＴＶ３４５は、映像を表示させることができる。
【００４３】
以上のように、通信制御装置１は映像提供先の機器からの操作により、映像提供元の機器から画像信号を受け取り、映像提供先の機器が再生可能な映像規格に適合させた映像を映像提供先に転送することにより、リアルタイム転送された映像を表示することができる。
【００４４】
また、通信制御装置１はＮ個の入力ポートを持つ入力インタフェース１２と、Ｎ個の映像制御部１６とを備えているため、Ｎチャンネル分の映像転送要求に応え、所望の映像転送元機器から所望の映像提供先の機器へと映像の提供を行うことができる。
【００４５】
さらにｗｅｂサーバ部１０５がコンテンツをＨＴＭＬ形式のデータとして扱うことで、映像提供先の機器はＨＴＴＰ（HyperText Transfer Protocol）に準拠した機能の提供を受けることができ、ｗｅｂとしての表示や操作を行うことができる。また、映像提供先の機器が行った映像提供元の機器への操作は、映像提供元の機器が元々備えているリモートコントロール機能等の操作機能を用いることで、特別な操作機能を後から付け加えることなく操作を行うことができる。
【００４６】
本発明の実施においては、扱う機器の種類は例示したものに限るものではなく、映像提供元の機器はＴＳやＴＴＳなどの映像ストリームや、非圧縮のデジタル映像信号若しくはアナログ映像信号を扱えるさまざまな機器に対応できるものである。また、映像提供先の機器においては、ＨＴＴＰ対応のｗｅｂ表示が行える映像表示機器であれば、ビットレートや解像度といった映像の変換を行うことで、映像表示機器の表示性能を問わず映像の提供をすることができる。
【００４７】
なお、映像提供元の機器の操作において、当該機器のリモートコントロール機能を用いる場合について例示したが、本発明の実施の形態においては、映像提供元の機器と映像提供先の機器とが無線通信（例えば無線ＬＡＮ）に対応した機器であった場合、無線通信によって映像提供先からの操作信号を映像提供元の機器に送信してもよい。また、有線の通信が可能ならば有線通信にて操作信号の送信を行ってもよい。
【００４８】
また、今回開示された実施の形態は、すべての点で例示であり制限的なものではないと考えられるべきである。本発明の範囲は、上記した意味ではなく、特許請求の範囲にとって示され、特許請求の範囲と均等の意味及び範囲内でのすべての変更が含まれることが意図される。
【符号の説明】
【００４９】
１  通信制御装置
１２  入力インタフェース
１３  出力インタフェース
１４  映像処理部
１７  制御部
１０１  ＤＭＵＸ
１０２  トランスコード部
１０３  ＢＭＬ／ＨＴＭＬ変換部
１０４  ＨＴＭＬ設定部
１０５  ｗｅｂサーバ部
１０６  機能設定部
１１２  映像音声変換部
１３０  送受信部
２００  ｗｅｂカメラドアホン
２１０  ＩＰＴＶデジタルチューナ
２２０  ＨＤＤレコーダ
３００  ローカルネットワーク
３１０  ｗｅｂ対応ＴＶ
３２０  ＰＣ
３４０  ｗｅｂクライアント
３４５  ｗｅｂ非対応ＴＶ
３５０  モバイル機器
【図１】
2011010196.tif 000003
【図２】
2011010196.tif 000004
【図３】
2011010196.tif 000005
【図４】
2011010196.tif 000006
【図５】
2011010196.tif 000007
【図６】
2011010196.tif 000008
【図７】
2011010196.tif 000009